(57)【要約】【課題】玩具体の小型化と軽量化を図り、玩具体をアクセサリーとして使用することができるとともに、アクセサリーとして使用しないときは載置台に載せて動作させることができるようにしたアクセサリー玩具を提供すること。【解決手段】玩具体１と該玩具体１を着脱可能に載置する載置台２との組合せからなるアクセサリー玩具であって、上記玩具体１には該玩具体１を作動させる作動機構１３、１５が配置され、上記載置台２には上記玩具体１の作動機構１３、１５を駆動する駆動機構５０が配置され、上記玩具体１はキーホルダーやネックレスなどに取着可能で、上記載置台２には上記駆動機構５０の動作開始を指示し、載置台２上の玩具体１を作動させる指示手段５８を設けた。【選択図】        図１
2004236862.tif 000002
【特許請求の範囲】
【請求項１】
玩具体と該玩具体を載置する載置台との組合せからなる、以下の要件を備えることを特徴とするアクセサリー玩具。
（イ）上記玩具体はキーホルダーやネックレスなどに着脱可能であること
（ロ）上記玩具体は上記載置台に着脱可能に形成されていること
（ハ）上記玩具体には該玩具体を作動させる少なくとも１つの作動機構が配置され、上記載置台には上記玩具体の作動機構を駆動する駆動機構が配置されていること
（二）上記載置台には上記駆動機構の動作開始を指示し、載置台上の玩具体を作動させる指示手段を設けたこと
【請求項２】
前記玩具体の底面には前記作動機構に連係する作動軸の一端が上下動可能に突出し、前記載置台の上面には前記駆動機構に連係する駆動軸が上下動可能に突出し、上記作動軸と駆動軸との先端は対向するように配置されている、請求項１記載のアクセサリー玩具。
【請求項３】
前記載置台には前記玩具体の種類を認識する認識手段と、該認識手段が認識した玩具体に対応した音声を出力する音声出力手段とを備えた、請求項１記載のアクセサリー玩具。
【請求項４】
前記玩具体には発光表示体が設けられ、前記載置台には該発光表示体を発光表示させる光源を備えた、請求項１、２又は３記載のアクセサリー玩具。
【請求項５】
前記載置台は他の載置台と接続するコネクタ部を備え、接続時には任意の載置台の指示手段により全ての載置台上に載置された玩具体が作動する、請求項１、２、３又は４記載のアクセサリー玩具。
【発明の詳細な説明】
【０００１】
【発明の属する技術分野】
本発明は、アクセサリー玩具、詳しくは、キーホルダーやネックレスに取り付けられる玩具体を載置台に載置することにより作動させることができるアクセサリー玩具に関する。
【０００２】
【従来の技術】
従来、駆動ユニットを備えた玩具体をベース体に装着することができるものが提案されている。この玩具体は内部に腕部を作動させる駆動ユニットを供えたものである（例えば、特許文献１参照）。
【０００３】
【特許文献１】
特開平０９−２６２３７３号公報（第１１―１２頁、図２）
【０００４】
【発明が解決しようとする課題】
しかしながら、上述の玩具体は、ベース体側には玩具体を作動させる駆動機構を備えず、玩具体側に駆動機構を全て備えたものであり、小型化を図るためにモータなどの機構部品を設けずコイルと磁石との吸着・反発を利用して作動させるようにしたものであるが、玩具体側に全ての駆動機構を配置したために、玩具体の小型化と軽量化には限界があった。
【０００５】
本発明は上記問題点を解消し、玩具体の小型化と軽量化を図り、玩具体をアクセサリーとして使用することができるとともに、アクセサリーとして使用しないときは載置台に載せて動作させることができるようにしたアクセサリー玩具を提供することをその課題とする。
【０００６】
【課題を解決するための手段】
前記課題を解決するため、本発明に係るアクセサリー玩具は、玩具体と該玩具体を載置する載置台との組合せからなる、以下の要件を備えることを特徴とする。
（イ）上記玩具体はキーホルダーやネックレスなどに着脱可能であること
（ロ）上記玩具体は上記載置台に着脱可能に形成されていること
（ハ）上記玩具体には該玩具体を作動させる少なくとも１つの作動機構が配置され、上記載置台には上記玩具体の作動機構を駆動する駆動機構が配置されていること
（二）上記載置台には上記駆動機構の動作開始を指示し、載置台上の玩具体を作動させる指示手段を設けたこと
【０００７】
なお、前記玩具体の底面には前記作動機構に連係する作動軸の一端が上下動可能に突出し、前記載置台の上面には前記駆動機構に連係する駆動軸が上下動可能に突出し、上記作動軸と駆動軸との先端は対向するように配置され、駆動軸の動きが作動軸に直接伝達されることが好ましい。
【０００８】
また、前記載置台には前記玩具体の種類を認識する認識手段と該認識手段が認識した玩具体に対応した音声を出力する音声出力手段を備えても構わない。
【０００９】
そして、前記玩具体には発光表示体が設けられ、前記載置台には該発光表示体を発光表示させる光源を備え、光源の光を発光表示体から発光させるようにしてもよい。
【００１０】
さらに、前記載置台は他の載置台と接続するコネクタ部を備え、接続時には任意の載置台の指示手段により全ての載置台上に載置された玩具体が作動するようにしてもよい。
【００１１】
【発明の実施の形態】
図１（ａ）は、本発明に係るアクセサリー玩具の一例を示し、このアクセサリー玩具は玩具体１と載置台２とから構成され、図１（ｂ）に示すように、玩具体１を載置台２に載置できるようになっている。
【００１２】
上記玩具体１は、図２に示すように、指で摘める程度の大きさでアクセサリーとしてネックレス３や図示しないキーホルダーに取り付けることができるように背中にリング状の係止部４が形成されている。
【００１３】
図３は、ふくろうを摸して形成された玩具体１の一例の分解斜視図を示し、この玩具体１は、基台１０上に前胴体部１１ａと後胴体部１１ｂとからなる胴体部１１が固定され、胴体部１１内部には羽根部材１２を上下に回動させる第１の作動機構１３と、頭部１４を左右に回動させる第２の作動機構１５とが配置され、羽根部材１２は支軸１６が胴体部１１に上下に回動可能に軸支され、前頭部１４ａと後頭部１４ｂとからなる頭部１４は胴体部１１上部に形成された支持部１７に形成され軸穴１８に挿通された軸１９で左右に回動できるように支持されている。
【００１４】
第１の作動機構１３は、胴体部１１に適宜に固定されたガイド軸２５に上下動可能にガイドされるとともに、スプリング２６で常に下降するように付勢された作動軸２７と、作動軸２７の上端両側部から斜め上方に突出し、羽根部材１２を上下に回動させるリンク２８とから構成され、リンク２８の先端に形成された係合軸２９が羽根部材１２に形成された係合部３０に係合している（図４参照）。
【００１５】
この第１の作動機構１３は、図５（ａ）に示すように、作動軸２７が後述するカム６５によってスプリング２６に抗して押し上げられた時にはリンク２８も上昇して羽根部材１２を支軸１６を中心に下方に回動させ、カム６５による押し上げが解除されるとスプリング２６に付勢された作動軸２７が下降するとともにリンクも下降し（図５（ｂ）参照）、羽根部材１２を支軸１６を中心に上方に回動させ、カム６５の回転に連係して羽根部材１２が上下に回動するようになっている。
【００１６】
一方、第２の作動機構１５は、スプリング３５で常に下降するように付勢された作動軸３６と、作動軸３６の上端から上方に突出したリンク３７とで構成され、リンク３７の上端には頭部１４に形成された係合軸３８に係合する係合孔３９が形成されている（図４参照）。
【００１７】
この第２の作動機構１５は、図６（ａ）に示すように、作動軸３６がカム６６によってスプリング３５に抗して押し上げられた時には、リンク３７が上昇するので頭部１４は軸１９を中心に反時計方向に回動し、カム６６による押し上げが解除されるとスプリング３５に付勢された作動軸３６が下降するとともにリンクが下降するので頭部１４は軸１９を中心に時計方向に回動し（図６（ｂ）参照）、カム６６の回転に連係して頭部１４が左右に回動するようになっている。
【００１８】
なお、上記作動軸２７、３６は下端が基台１０の中央に形成された開口部４０から下方に突出し、後述する載置台２に設けられた駆動機構５０の駆動軸６８、６９の先端に対向するようになっている。
【００１９】
また、胴体部１１内部には発光表示体４１が配置されている。この発光表示体４１は導光性を有する素材（例えば、アクリル樹脂やグラスファイバー等）からなる導光部材で構成され、発光表示体（導光部材）４１の一端は胴体部１１前面に形成された開口部４２から露出し、他端は基台１０に形成された孔４３から下方に突出し、後述する光源５３に対向するように配置され、基台１０の底面には磁石４４が固定され、後部には玩具体の種別情報となる切り欠き４５が形成されている。この切り欠き４５は最大３個形成され、その数と位置とで７種類の玩具体を特定できるようになっており、後述する識別手段５５のレバー７２、７３、７４の作動を選択的に行なうことができるようになっている。
【００２０】
次に、載置台２について説明する。図７に示すように、載置台２は中空の箱状に形成され、内部には上記玩具体１の第１の作動機構１３、第２の作動機構１５を作動させる駆動機構５０と、音声出力手段であるスピーカ５２と、光源（発光ダイオード）５３と、制御回路がマウントされた回路基板５４と、玩具体１を識別する識別手段５５と、他の載置台２と接続するためのコネクタ５６、５７、駆動機構５０の作動開始を指示する指示手段５８とが配置されている。
【００２１】
駆動機構５０は、モータ６０の回転軸に固定されたウォームギヤ６１に噛み合う２段歯車６２と、２段歯車６２の小歯車に噛み合う歯車６３が一体に形成され支軸６４に回転可能に軸支された第１のカム６５と、第１のカム６５に連係し、支軸６４に回転可能に軸支された第２のカム６６と、第１のカム６５、第２のカム６６にそれぞれ連係し上下動する第１の駆動軸６８、第２の駆動軸６９とから構成されている（図４参照）。
【００２２】
第１のカム６５と第２のカム６６とはワンウェイクラッチ機構を介して連結され、図８（ａ）に示すように、第１のカム６５が反時計方向に回転したときには、ボール７０は第１のカム６５の軸６７の切り欠きに６７ａに収用されて第２のカム６６の内周壁６６ａに係合することはないので、第２のカム６６は回転することはないが、第１のカム６５が時計方向に回転したときには、図８（ｂ）に示すように、ボール７０は第１のカム６５の軸６７に形成された切り欠きに６７ａの滑らかな斜面と第２のカム６６の内周壁６６ａとのクサビ作用で第２のカム６６と第１のカム６５とは一体で回転するようになっている。
【００２３】
識別手段５５は、フレーム７１に揺動可能に軸支された３つのレバー７２、７３、７４と、このレバー７２、７３、７４にそれぞれ対応したスイッチ７５、７６、７７とで構成され、上述の玩具体１の基台１０を載置台２にセットしたときに基台１０に形成された切り欠き４５に対応しないレバーが押されて揺動したレバーに対応したスイッチがＯＮするようになっている。このスイッチの状態は後述する制御部７８で認識され、載置台２上に載置された玩具体１の種類が認識できるようになっている（例えば、鳥であれば、フクロウなのか鳩なのか等）。
【００２４】
また、載置台２の上面には玩具体１の基台１０を嵌め合わせる嵌合凹部８０が形成され、この嵌合凹部８０には上述したレバー７２、７３、７４の先端を露出させる開口部８１が形成されるとともに、上述の第１の駆動軸６８、第２の駆動軸６９の先端を突出させる開口部８２、８３、光源５３の光を導光部材４１に案内する開口部８４が形成され、上記嵌合凹部８０の裏面には玩具体１の基台１０に固定された磁石４４に磁着する磁石８５が固定されている。また、指示手段５８であるタクトスイッチを押し操作するスタートボタン８６の上部を突出させる開口部８７が形成されている。
【００２５】
そして、載置台２の底板９０には、ボタン電池を収用する電池ボックス９１が形成されるとともに、コネクタ５６、５７を固定する台座９２、９３が形成されている。
【００２６】
図９は、アクセサリー玩具の電気的構成を説明するブロック図で、符号５２はスピーカ、５３は光源である発光ダイオード、５８はタクトスイッチ、６０はモータ、７５〜７７は識別スイッチを示し、７８はアクセサリー玩具全体を制御する制御部を示す。また、５６はオス型コネクタ、５７はメス型コネクタを示し、他の載置台２と直接接続又は図示しないケーブルを介してケーブル接続ができるようになっている。
【００２７】
制御部７８は、プログラマブル音声合成ＩＣで構成することができ、アクションスイッチが押されると制御部７８はモータ６０を回転させるとともに、内部メモリに記憶されている鳴声データを読み出してスピーカ５２から出力する。この鳴声は７種類の玩具体に対応した鳴声がメモリに記憶され、識別スイッチの状態から玩具体１を認識し、認識した玩具体１に対応した鳴声がメモリから呼び出されて出力されるようになっている。
【００２８】
制御部７８は、所定時間（例えば、１秒）経過する度にモータ６０の回転方向を切り替えるので、モータ６０が正回転した時には、第１のカム６５のみが回転し、第１の作動機構１３のみが作動して羽根部材１２が上下に回動する。そして、モータ６０が逆回転した時には、第１のカム６５と第２のカム６６とが一緒に回転するので第１の作動機構１３と第２の作動機構とが作動し、羽根部材１２の上下回動とともに、頭部１４が左右に回動することになる。
【００２９】
また、図１０（ａ）に示すように、コネクタ５６を他の載置台のコネクタ５７に差込んで載置台２同士を連結し、図１０（ｂ）に示すように、玩具体を載置台上に載置した場合は、任意の載置台２のスタートボタン８６を押して玩具体１を作動させると、スタートボタン８６が押された載置台２の制御部７８は他の玩具体１を作動させる制御信号を送信データＴＸＤとしてコネクタ５６、５７を介して出力する。この制御信号はシリアル信号で、スタートパルスに続くデータパルスの個数で設定することができる。
【００３０】
例えば、従属する玩具体１の動作をスタートさせるスタート信号、途中で同期を取るためのアクション信号、玩具体１の動作を停止させるストップ信号の３つの信号で制御する場合を考えると、図１１に示すように、スタートボタン８６が押された玩具の制御部７８はスタートパルスＳＰと１つのデータパルスＤＰとからなるスタート信号を送信データＴＸＤとして送信し、モータ６０を作動させるとともに、スピーカ５２から鳴声を出力し、ＬＥＤ５３を点滅させる。待機状態の玩具はマスターの玩具が送信するスタート信号を受信データＲＸＤとして受信するとスレーブに設定されるが、スレーブに設定された玩具はスタートパルスＳＰを受信してから所定時間Ｔ（例えば、０．２秒）内に幾つのデータパルスＤＰが存在するかを判断し、データパルスＤＰが１つであればスタート信号と判断して動作を開始し、２つであればアクション信号と判断して動作の同期を取り直し、３つであればストップ信号と判断して動作を停止するようにすればよい。
【００３１】
上述のように、玩具体１をネックレスやキーホルダーに取り付け、アクセサリーとして使用することができるとともに、玩具体１を載置台２上に載せスタートボタン８６を押し操作すると、認識手段５５で玩具体１の種類が認識されるので制御部７８は認識した玩具体１に対応した鳴声をスピーカ５２から出力するとともに、モータ６０を正逆回転させて第１の作動部５０と第２の作動部５１を作動させ、玩具体１がフクロウを摸して形成された玩具体１であれば羽をばたばたさせながら顔を動かすフクロウ独特の動作をさせることができる。
【００３２】
また、複数の載置台２を連結した場合は、スタートボタン８６が押された玩具体１がマスターになって他の玩具体１の動作を制御し、マスターの玩具体１の動作開始に合わせてスレーブとなった他の玩具体を一斉に動作させることができる。
【００３３】
なお、上述の玩具体１をフクロウを模した鳥玩具で説明したが、この玩具体１は鳥玩具に限定されるものではなく犬やネコ、ウサギ等の動物玩具であっても構わない。
【００３４】
【発明の効果】
請求項１の発明によれば、玩具体をアクセサリーとして使用することができるとともに、載置台に載置することにより玩具体を作動させることができるので、静、動何れの状態でも楽しむことができる。しかも玩具体に配置された作動装置を駆動する駆動機構を載置台内に設けることにより、玩具体の小型化と軽量化とを図ることができる。
【００３５】
請求項２の発明によれば、載置台に設けた駆動機構の出力である駆動軸の先端に、作動機構の作動軸の下端を対向させたので、駆動軸の動きを作動軸に直接伝達することができ、機構の簡略化を図ることができる。
【００３６】
請求項３の発明によれば、載置台が玩具体の種類を認識することができ、認識した結果に基づいて玩具体に対応した音声を出力することができる。
【００３７】
請求項４の発明によれば、玩具体には光源を設けることなく玩具体の一部を発光させることができ、動作、音声に加え光で動作を表現することができる。
【００３８】
請求項５の発明によれば、載置台を連結することができるので、１つの玩具体を作動させることにより連結した載置台上の玩具体を全て作動させることができる。
【図面の簡単な説明】
【図１】（ａ）（ｂ）は本発明に係るアクセサリー玩具の斜視図
【図２】上記アクセサリー玩具の玩具体の使用状態の説明図
【図３】上記玩具体の分解斜視図
【図４】作動機構と駆動機構との関係を説明する分解斜視図
【図５】（ａ）（ｂ）は玩具体の作動状態の説明図
【図６】（ａ）（ｂ）は玩具体の作動状態の説明図
【図７】載置台の構成を説明する分解斜視図
【図８】（ａ）（ｂ）は第１のカムと第２のカムとの作動態様の説明図
【図９】アクセサリー玩具の電気的構成を説明するブロック図
【図１０】（ａ）（ｂ）は上記アクセサリー玩具の他の使用態様を説明する斜視図
【図１１】上記アクセサリー玩具の他の使用態様における玩具体の関係を説明するタイムチャート図
【符号の説明】
１  玩具体
２  載置台
１３、１５  作動機構
２７  作動軸
３６  作動軸
４１  発光表示体
５０  駆動機構
５２  音声出力手段（スピーカ）
５５  認識手段
５８  指示手段
６８、６９  駆動軸
【図１】
2004236862.tif 000003
【図２】
2004236862.tif 000004
【図３】
2004236862.tif 000005
【図４】
2004236862.tif 000006
【図５】
2004236862.tif 000007
【図６】
2004236862.tif 000008
【図７】
2004236862.tif 000009
【図８】
2004236862.tif 000010
【図９】
2004236862.tif 000011
【図１０】
2004236862.tif 000012
【図１１】
2004236862.tif 000013